(57)【特許請求の範囲】
【請求項１】
体毛を切削するブレードが含まれたカートリッジが取り替え可能に結合されるハンドルアセンブリーにおいて、
ユーザーによって把持されるグリップ部および
前記カートリッジを固定するコネクティング部を含み、
前記コネクティング部は、
前記グリップ部の前端から突出形成される第１プランジャーガード；
前記第１プランジャーガードと離隔するように前記グリップ部の前端から突出形成される第２プランジャーガード；
前記第１プランジャーガードと前記第２プランジャーガードとの間のスペースで移動可能なように前記第１プランジャーガードと前記第２プランジャーガードとの間にスライディング可能に結合されるプランジャーを含み、
前記第１プランジャーガードと前記第２プランジャーガードは、前記プランジャーの前方移動の限界地点における前記プランジャーの前端まで延びており、
前記第１プランジャーガード、前記第２プランジャーガードおよび前記プランジャーは、前記カートリッジが前記ハンドルアセンブリーに結合された際に、前記カートリッジの中に収容されるように設けられる、
ハンドルアセンブリー。
【請求項２】
前記プランジャーは、
前記プランジャーの前端が前記第１プランジャーガードの前端および前記第２プランジャーガードの前端と一致する第１ポジションと、前記プランジャーの前端が前記第１プランジャーガードの前端および前記第２プランジャーガードの前端の後方に位置する第２ポジションと、の間でスライディングされる、請求項１に記載のハンドルアセンブリー。
【請求項３】
前記コネクティング部は、前記プランジャーを弾性支持する弾性部材をさらに含み、
前記プランジャーは、外力によって前記第２ポジションにスライディングされ、前記外力が除去されると前記弾性部材の弾性力によって前記第１ポジションに復帰する、請求項２に記載のハンドルアセンブリー。
【請求項４】
前記グリップ部の前端には、前記第１プランジャーガード、前記第２プランジャーガードおよび前記プランジャーの前端が露出するように前記コネクティング部を収容するハウジングが備えられ、
前記コネクティング部は、
前記ハウジングの上部にスライディング可能に設置されるイジェクトボタンおよび
前記イジェクトボタンと同期駆動し、前記カートリッジと前記コネクティング部の結合を解除するプッシャーをさらに含む、請求項１に記載のハンドルアセンブリー。
【請求項５】
前記プッシャーの前端は、前記プランジャー、前記第１プランジャーガードおよび前記第２プランジャーガードのうち少なくとも一つの下部に位置する、請求項４に記載のハンドルアセンブリー。
【請求項６】
前記コネクティング部は、
一端が前記プランジャーに支持され、他端が前記プッシャーに支持される弾性部材をさらに含み、
前記弾性部材は
外力によって後方に移動した前記プランジャーを前方に移動させる第１復帰力および
外力によって前方に移動した前記プッシャーおよび前記イジェクトボタンを後方に復帰させる第２復帰力を提供する、請求項４に記載のハンドルアセンブリー。
【請求項７】
ユーザーによって把持されるグリップ部；および
前記グリップ部の前端から突出形成される第１プランジャーガード、前記第１プランジャーガードと離隔するように前記グリップ部の前端から突出形成される第２プランジャーガードおよび前記第１プランジャーガードと前記第２プランジャーガードとの間のスペースで移動可能なように前記第１プランジャーガードと前記第２プランジャーガードとの間にスライディング可能に結合されるプランジャーを含むコネクティング部；を含むハンドルアセンブリーおよび
少なくとも一つのブレード；
前記ブレードが前面に露出するように前記ブレードを支持するフレーム；
前記フレームに対して回動可能に設置され、前記第１プランジャーガード、前記第２プランジャーガードおよび前記プランジャーを収容する収容ホールが形成されたコネクター；
および
前記フレームから後面に向かって突出形成されて前記プランジャーによって弾性支持されるプランジャー加圧突起；を含むカートリッジを含み、
前記第１プランジャーガードと前記第２プランジャーガードは、前記プランジャーの前方移動の限界地点における前記プランジャーの前端まで延びており、
前記第１プランジャーガード、前記第２プランジャーガードおよび前記プランジャーは、前記カートリッジが前記ハンドルアセンブリーに結合された際に、前記カートリッジの中に収容されるように設けられる、
カミソリ。
【請求項８】
前記プランジャー加圧突起は、前記プランジャーと接する下面が外側に膨らんで形成されたテーパー状に形成される、請求項７に記載のカミソリ。
【請求項９】
前記プランジャーは、
前記プランジャーの前端が前記第１プランジャーガードの前端および前記第２プランジャーガードの前端と一致する第１ポジションと、前記プランジャーの前端が前記第１プランジャーガードの前端および前記第２プランジャーガードの前端の後方に位置する第２ポジションと、の間でスライディングされ、
前記カートリッジに外力が加えられていない自由状態で前記プランジャーは前記第１ポジションで前記プランジャー加圧突起を支持し、
外力によって前記フレームが前記コネクターに対して一方向に回動するにつれて、前記プランジャー加圧突起は前記プランジャーを前記第２ポジションに移動させる、請求項７に記載のカミソリ。
【請求項１０】
前記コネクティング部は、前記プランジャーを弾性支持する弾性部材をさらに含み、
前記プランジャーは、前記外力が除去されると前記弾性部材の弾性力によって前記第１ポジションに復帰し、前記プランジャー加圧突起を押して前記フレームが前記コネクターに対して他方向に回動するようにする、請求項９に記載のカミソリ。
【請求項１１】
前記第１プランジャーガードおよび前記第２プランジャーガードのうち少なくとも一つは下部に突出形成される係止段を含み、
前記コネクターは前記収容ホールの内側に突出形成されて前記係止段に支持され、前記カートリッジと前記カミソリの結合状態を維持させるラッチをさらに含む、請求項７に記載のカミソリ。
【請求項１２】
前記グリップ部は、前記第１プランジャーガード、前記第２プランジャーガードおよび前記プランジャーの前端が露出するように前記コネクティング部を収容するハウジングを含み、
前記コネクティング部は、
前記ハウジングの上部にスライディング可能に設置されるイジェクトボタンおよび
前記イジェクトボタンと同期駆動するプッシャーをさらに含み、
前記プッシャーは、前記イジェクトボタンが一方向に移動するにつれて前記係止段内に支持された前記ラッチを弾性変形させて前記係止段から離脱させる、請求項１１に記載のカミソリ。
【請求項１３】
前記コネクティング部は、
一端が前記プランジャーに支持され、他端が前記プッシャーに支持される弾性部材をさらに含み、
前記弾性部材は、
外力によって後方に移動した前記プランジャーを前方に移動させる第１復帰力および
外力によって前方に移動した前記プッシャーおよび前記イジェクトボタンを後方に復帰させる第２復帰力を提供する、請求項１２に記載のカミソリ。
【請求項１４】
ユーザーによって把持されるグリップ部；および
前記グリップ部の前端から突出形成される第１プランジャーガード、前記第１プランジャーガードと離隔するように前記グリップ部の前端から突出形成される第２プランジャーガードおよび前記第１プランジャーガードと前記第２プランジャーガードとの間にスライディング可能に結合されるプランジャーを含むコネクティング部；を含むハンドルアセンブリーおよび
少なくとも一つのブレード；
前記ブレードが前面に露出するように前記ブレードを支持するフレーム；
前記フレームに対して回動可能に設置され、前記第１プランジャーガード、前記第２プランジャーガードおよび前記プランジャーを収容する収容ホールが形成されたコネクター；
および
前記フレームから後面に向かって突出形成されて前記プランジャーによって弾性支持されるプランジャー加圧突起；を含むカートリッジを含み、
前記プランジャーは、
前記プランジャーの前端が前記第１プランジャーガードの前端および前記第２プランジャーガードの前端と一致する第１ポジションと、前記プランジャーの前端が前記第１プランジャーガードの前端および前記第２プランジャーガードの前端の後方に位置する第２ポジションと、の間でスライディングされ、
前記カートリッジに外力が加えられていない自由状態で前記プランジャーは前記第１ポジションで前記プランジャー加圧突起を支持し、
外力によって前記フレームが前記コネクターに対して一方向に回動するにつれて、前記プランジャー加圧突起は前記プランジャーを前記第２ポジションに移動させる、
カミソリ。
【請求項１５】
前記コネクティング部は、前記プランジャーを弾性支持する弾性部材をさらに含み、
前記プランジャーは、前記外力が除去されると前記弾性部材の弾性力によって前記第１ポジションに復帰し、前記プランジャー加圧突起を押して前記フレームが前記コネクターに対して他方向に回動するようにする、請求項１４に記載のカミソリ。
【発明の詳細な説明】
【技術分野】
【０００１】
本発明はハンドルアセンブリー、カートリッジおよびこれらを含むカミソリに関するものであって、より詳細には、カートリッジが取り替え可能に結合されるハンドルアセンブリー、カートリッジおよびこれらを含むカミソリに関するものである。
【背景技術】
【０００２】
アメリカ登録特許５，７８７，５８６には、従来の着脱式カートリッジ１４と、前記カートリッジ１４と着脱されるハンドル構造１２を有するカミソリ１０が開示されている。
【０００３】
アメリカ登録特許５，７８７，５８６に開示された通り、従来のカミソリのハンドル１２は、カートリッジ１４を弾性支持するプランジャー４４が突出する構造を有する。
【先行技術文献】
【特許文献】
【０００４】
【特許文献１】アメリカ登録特許５，７８７，５８６号明細書
【発明の概要】
【発明が解決しようとする課題】
【０００５】
従来のカミソリのハンドル１２は、プランジャー４４が突出する構造を有しているため、外部の衝撃などによってプランジャー４４が破損することがたびたび発生した。プランジャー４４が破損する場合、カートリッジ１４を正常に支持することができないため、カミソリを使用できなくなる状況が発生する可能性がある。
【０００６】
本発明が解決しようとする課題は、外部の衝撃による破損の可能性が低いハンドルアセンブリー、カートリッジおよびこれらを含むカミソリを提供することである。
【０００７】
本発明の課題は以上で言及した課題に制限されず、言及されていないさらに他の課題は下記の記載から当業者に明確に理解されるはずである。
【課題を解決するための手段】
【０００８】
前記課題を解決するための本発明の実施例に係るハンドルアセンブリーは、ユーザーによって把持されるグリップ部および前記カートリッジを固定するコネクティング部を含み、前記コネクティング部は、前記グリップ部の前端から突出形成される第１プランジャーガード；前記第１プランジャーガードと離隔するように前記グリップ部の前端から突出形成される第２プランジャーガード；前記第１プランジャーガードと前記第２プランジャーガードとの間にスライディング可能に結合されるプランジャーを含む。
【０００９】
前記プランジャーは、前記プランジャーの前端が前記第１プランジャーガードの前端および前記第２プランジャーガードの前端と一致する第１ポジションと、前記プランジャーの前端が前記第１プランジャーガードの前端および前記第２プランジャーガードの前端の後方に位置する第２ポジションと、の間でスライディングされ得る。
【００１０】
前記コネクティング部は前記プランジャーを弾性支持する弾性部材をさらに含み、前記プランジャーは外力によって前記第２ポジションにスライディングされ、前記外力が除去されると前記弾性部材の弾性力によって前記第１ポジションに復帰され得る。
【００１１】
前記グリップ部の前端には、前記第１プランジャーガード、前記第２プランジャーガードおよび前記プランジャーの前端が露出するように前記コネクティング部を収容するハウジングが備えられ、前記コネクティング部は、前記ハウジングの上部にスライディング可能に設置されるイジェクトボタンおよび前記イジェクトボタンと同期駆動し、前記カートリッジと前記コネクティング部の結合を解除するプッシャーをさらに含むことができる。
【００１２】
前記プッシャーの前端は、前記プランジャー、前記第１プランジャーガードおよび前記第２プランジャーガードのうち少なくとも一つの下部に位置することができる。
【００１３】
前記コネクティング部は、一端が前記プランジャーに支持され、他端が前記プッシャーに支持される弾性部材をさらに含み、前記弾性部材は、外力によって後方に移動した前記プランジャーを前方に移動させる第１復帰力および外力によって前方に移動した前記プッシャーおよび前記イジェクトボタンを後方に復帰させる第２復帰力を提供することができる。
【００１４】
前記課題を解決するための本発明の実施例に係るカートリッジは、少なくとも一つのブレード；前記ブレードが前面に露出するように前記ブレードを支持するフレーム；前記フレームから後面に向かって突出形成され、外側に膨らんで形成されて前記ハンドルアセンブリーのプランジャーと接する下面を含むプランジャー加圧突起；および前記フレームに対して回動可能に設置されて前記ハンドルアセンブリーと着脱可能に結合されるコネクターを含む。
【００１５】
前記プランジャー加圧突起は、上下非対称のテーパー状に形成され得る。
【００１６】
前記コネクターは、前記ハンドルアセンブリーの一端を収容する収容ホールおよび前記収容ホールの内部に突出形成されるラッチを含むことができる。
【００１７】
前記課題を解決するための本発明の実施例に係るカミソリは、ユーザーによって把持されるグリップ部；および前記グリップ部の前端から突出形成される第１プランジャーガード、前記第１プランジャーガードと離隔するように前記グリップ部の前端から突出形成される第２プランジャーガードおよび前記第１プランジャーガードと前記第２プランジャーガードとの間にスライディング可能に結合されるプランジャーを含むコネクティング部；を含むハンドルアセンブリーおよび少なくとも一つのブレード；前記ブレードが前面に露出するように前記ブレードを支持するフレーム；前記フレームに対して回動可能に設置され、前記第１プランジャーガード、前記第２プランジャーガードおよび前記プランジャーを収容する収容ホールが形成されたコネクター；および前記フレームから後面に向かって突出形成されて前記プランジャーによって弾性支持されるプランジャー加圧突起；を含むカートリッジを含む。
【００１８】
前記プランジャー加圧突起は、前記プランジャーと接する下面が外側に膨らんで形成されたテーパー状に形成され得る。
【００１９】
前記プランジャーは、前記プランジャーの前端が前記第１プランジャーガードの前端および前記第２プランジャーガードの前端と一致する第１ポジションと、前記プランジャーの前端が前記第１プランジャーガードの前端および前記第２プランジャーガードの前端の後方に位置する第２ポジションと、の間でスライディングされ、前記カートリッジに外力が加えられていない自由状態で前記プランジャーは前記第１ポジションで前記プランジャー加圧突起を支持し、外力によって前記フレームが前記コネクターに対して一方向に回動するにつれて、前記プランジャー加圧突起は前記プランジャーを前記第２ポジションに移動させることができる。
【００２０】
前記コネクティング部は前記プランジャーを弾性支持する弾性部材をさらに含み、前記プランジャーは前記外力が除去されると前記弾性部材の弾性力によって前記第１ポジションに復帰し、前記プランジャー加圧突起を押して前記フレームが前記コネクターに対して他方向に回動するようにすることができる。
【００２１】
前記第１プランジャーガードおよび前記第２プランジャーガードのうち少なくとも一つは下部に突出形成される係止段を含み、前記コネクターは前記収容ホールの内側に突出形成されて前記係止段に支持され、前記カートリッジと前記カミソリの結合状態を維持させるラッチをさらに含むことができる。
【００２２】
前記グリップ部は、前記第１プランジャーガード、前記第２プランジャーガードおよび前記プランジャーの前端が露出するように前記コネクティング部を収容するハウジングを含み、前記コネクティング部は、前記ハウジングの上部にスライディング可能に設置されるイジェクトボタンおよび前記イジェクトボタンと同期駆動するプッシャーをさらに含み、前記プッシャーは前記イジェクトボタンが一方向に移動するにつれて前記係止段内に支持された前記ラッチを弾性変形させて前記係止段から離脱させることができる。
【００２３】
前記コネクティング部は、一端が前記プランジャーに支持され、他端が前記プッシャーに支持される弾性部材をさらに含み、前記弾性部材は、外力によって後方に移動した前記プランジャーを前方に移動させる第１復帰力および外力によって前方に移動した前記プッシャーおよび前記イジェクトボタンを後方に復帰させる第２復帰力を提供することができる。
【００２４】
本発明のその他の具体的な事項は詳細な説明および図面に含まれている。
【発明の効果】
【００２５】
本発明の実施例によると、少なくとも次のような効果がある。
【００２６】
プランジャーの両側にプランジャーを保護するプランジャーガードを具備することによって、カートリッジが分解された状態でも外部の衝撃からプランジャーを保護することができる。
【００２７】
また、カートリッジのフレームが回転可能に弾性支持されるため、より容易で、かつ安全な髭そりが可能であり、外力が除去された状態でもフレームが自由に動かず、一定のホーム位置を維持するため、より安全にカミソリを使用することができる。
【００２８】
また、カートリッジをハンドルアセンブリーに、より容易に着脱することができる。
【００２９】
本発明に係る効果は、以上で例示された内容によって制限されず、さらに多様な効果が本明細書内に含まれている。
【図面の簡単な説明】
【００３０】
【図１】本発明の一実施例に係るカミソリを図示した斜視図。
【図２】本発明の一実施例に係るカミソリのカートリッジを図示した斜視図。
【図３】本発明の一実施例に係るカートリッジのコネクターを図示した斜視図。
【図４】本発明の一実施例に係るカートリッジを図示した正面図。
【図５】図４のＡＡ線に沿った断面図。
【図６】本発明の一実施例に係るハンドルアセンブリーを図示した斜視図。
【図７】本発明の一実施例に係るハンドルアセンブリーの分解斜視図。
【図８】本発明の一実施例に係るカミソリを図示した平面図。
【図９】図８のＢＢ線に沿った断面図。
【図１０】図８のＣＣ線に沿った断面図。
【図１１】カートリッジの回動によるプランジャー加圧突起とプランジャーの相互間の動作関係を図示した図面。
【図１２】カートリッジの分離のためのイジェクトボタン、プッシャーおよびラッチの相互間の動作関係を図示した図面。
【図１３】本発明の他の実施例に係るハンドルアセンブリーを図示した平面図。
【図１４】本発明の他の実施例に係るハンドルアセンブリーの分解斜視図。
【発明を実施するための形態】
【００３１】
本発明の利点および特徴、そしてそれらを達成する方法は、添付される図面と共に詳細に後述されている実施例を参照すれば明確になるであろう。しかし、本発明は以下で開示される実施例に限定されるものではなく、互いに異なる多様な形態で具現され得る。ただし、本実施例は本発明の開示が完全となるようにし、本発明が属する技術分野で通常の知識を有する者に発明の範疇を完全に知らせるために提供されるものであり、本発明は請求項の範疇によって定義されるのみである。明細書全体に亘って同じ参照符号は同じ構成要素を指し示す。
【００３２】
また、本明細書で記述する実施例は、本発明の理想的な例示図である断面図および／または概略図を参照して説明されるであろう。したがって、製造技術および／または許容誤差などによって例示図の形態は変形され得る。また、本発明に図示された各図面において、各構成要素は説明の便宜を考慮して多少拡大または縮小して図示されたものであり得る。明細書全体に亘って同じ参照符号は同じ構成要素を指し示す。
【００３３】
以下、本発明の実施例に係るハンドルアセンブリー、カートリッジおよびこれを含むカミソリを説明するための図面を参照して本発明について説明する。
【００３４】
図１は、本発明の一実施例に係るカミソリ１を図示した斜視図である。
【００３５】
図１に図示された通り、本発明の一実施例に係るカミソリ１は、カートリッジ２とハンドルアセンブリー３を含む。カートリッジ２は、ハンドルアセンブリー３に取り替え可能に結合される構造を有する。
【００３６】
図２は本発明の一実施例に係るカミソリ１のカートリッジ２を図示した斜視図であり、図３は本発明の一実施例に係るカートリッジ２のコネクター２５を図示した斜視図であり、図４は本発明の一実施例に係るカートリッジ２を図示した正面図であり、図５は図４のＡＡ線に沿った断面図である。
【００３７】
図２に図示された通り、本発明の一実施例に係るカートリッジ２は、体毛を切削する複数のブレード２２と複数のブレード２２を支持するフレーム２１を含む。
【００３８】
フレーム２１は前後方に開放された概略四角形の骨組みを有する。具体的には、フレーム２１は左右側にそれぞれ形成される第１側部フレーム２１ｃおよび第２側部フレーム２１ｂ、第１側部フレーム２１ｃと第２側部フレーム２１ｂの下部を連結する下部フレーム２１ｄ、そして、第１側部フレーム２１ｃと第２側部フレーム２１ｂの上部を連結する上部フレーム（図示されず）を含む。図２に図示された通り、上部フレームにはトップキャップ２１ａが装着され得る。トップキャップ２１ａは、フレーム２１と異なる材質または色相で形成されてカートリッジ２の審美感を向上させたりフレーム２１の剛性を向上させ得る。例えば、フレーム２１は非光沢材質で形成され、トップキャップ２１ａは光沢材質で形成されてカートリッジ２の審美感を向上させ得、フレーム２１はプラスチック材質で形成され、トップキャップ２１ａは金属材質で形成されてフレーム２１の剛性を向上させ得る。
【００３９】
複数のブレード２２は、両端がそれぞれ第１側部フレーム２１ｃと第２側部フレーム２１ｂに支持された状態で、エッジ部分がフレーム２１の前面に露出するように設置され得る。図２および図４に図示された通り、複数のブレード２２は第１側部フレーム２１ｃと第２側部フレーム２１ｂを貫くクリップ２９により第１側部フレーム２１ｃと第２側部フレーム２１ｂに固定され得る。
【００４０】
図２に図示された通り、下部フレーム２１ｄの中央部には、後方に向かって突出形成されるプランジャー加圧突起２４が備えられる。
【００４１】
図５に図示された通り、プランジャー加圧突起２４は、上下非対称のテーパー状を有し得る。
【００４２】
プランジャー加圧突起２４の上面２４ａは、下部フレーム２１ｄの上端から延長形成され得、略扁平な平面に形成されるか、下面２４ｂと比べて傾きが小さい曲面または平面に形成され得る。
【００４３】
プランジャー加圧突起２４の下面２４ｂは、カートリッジ２がハンドルアセンブリー３に結合された状態で後述するプランジャー２６０と接する面であって、外側に膨らんだ曲面を含むことができる。下面２４ｂを構成する曲面は正の傾き（θ）だけを有するように構成されるか、０以上の傾き（θ）を有するように構成され得る。
【００４４】
下面２４ｂは後端に隣接するほど傾き（θ）が増加する曲面を含むことができる。したがって、上面２４ａと下面２４ｂが近接する後端は、下面２４ｂより上面２４ａ側に近く形成され得る。
【００４５】
プランジャー加圧突起２４が上下非対称のテーパー状を有することによって、プランジャー加圧突起２４の上下の高さは一定でなくなり得るが、プランジャー加圧突起２４は下部フレーム２１ｄから後方に突出する長さがプランジャー加圧突起２４の上下高さの最大値よりも長く突出形成され得る。図２にはプランジャー加圧突起２４が下部フレーム２１ｄに形成される例を図示したが、実施例により、カートリッジ２は上部フレームと下部フレーム２１ｄとの間に形成される別途の支持バーをさらに含み、プランジャー加圧突起２４は支持バーから後方に向かって突出形成され得る。この場合、支持バーは第１側部フレーム２１ｃと第２側部フレーム２１ｂを連結し、上部フレームまたは下部フレーム２１ｄと略平行するように形成されるか、上部フレームと下部フレーム２１ｄを連結し、第１側部フレーム２１ｃまたは第２側部フレーム２１ｂと略平行するように形成され得る。
【００４６】
一方、図４に図示された通り、カートリッジ２の前面には潤滑バンド２３、ガードラバー２６、コームガード２８（ｃｏｍｂ  ｇｕａｒｄ）等が備えられる。
【００４７】
潤滑バンド２３は水に接すると膨張し、潤滑成分、皮膚鎮静成分などが含まれた水溶性物質を提供する。したがって、髭そり過程において、カートリッジ２と接する皮膚に潤滑成分および皮膚鎮静成分を供給して、カートリッジ２の皮膚面に密着した状態でなめらかに進行するようにすると共に皮膚を鎮静させる。
【００４８】
ガードラバー２６は、カートリッジ２と接する皮膚を引っ張って複数のブレード２２が体毛を効果的に切削できるように誘導する。
【００４９】
コームガード２８は複数のブレード２２に進入する体毛を整列する。
【００５０】
図４に図示された通り、コームガード２８とガードラバー２６の間には開口部２７が形成され得る。開口部２７は皮膚の一部を膨らむように形成させて体毛が立った状態で切削されるように誘導することによって、髭そり性能を向上させる。
【００５１】
図２に図示された通り、カートリッジ２はフレーム２１に対して回動可能に設置されるコネクター２５を含む。
【００５２】
図３に図示された通り、コネクター２５は、略「⊂」の形状のコネクターボディー２５ａとコネクターボディー２５ａの両側に突出形成されるボス２５ｄを含む。
【００５３】
ボス２５ｄは、フレーム２１に結合されてコネクターボディー２５ａがフレーム２１に対して回転可能に支持されるようにする。フレーム２１にはボス２５ｄが挿入されるボスホール（図示されず）が備えられ得る。
【００５４】
図３に図示された通り、コネクターボディー２５ａの中央部には、コネクターボディー２５ａを貫く収容ホール２５ｂが形成される。そして、コネクター２５はコネクターボディー２５ａから延びて収容ホール２５ｂの内部に突出形成されるラッチ２５ｃを含む。
【００５５】
収容ホール２５ｂは、カートリッジ２がハンドルアセンブリー３に結合される時、後述するハンドルアセンブリー３の第１プランジャーガード２３５、第２プランジャーガード２３６およびプランジャー２６０が進入する空間であり、カートリッジ２がハンドルアセンブリー３に結合された状態で第１プランジャーガード２３５、第２プランジャーガード２３６およびプランジャー２６０が維持される空間である。
【００５６】
ラッチ２５ｃは、カートリッジ２がハンドルアセンブリー３に結合された状態で第１プランジャーガード２３５および第２プランジャーガード２３６を支持して、カートリッジ２がハンドルアセンブリー３から分離しないように、第１プランジャーガード２３５および第２プランジャーガード２３６を収容ホール２５ｂ内に維持させる。
【００５７】
ラッチ２５ｃは弾性変形可能な構成であって、カートリッジ２がハンドルアセンブリー３から分離される時には、後述するハンドルアセンブリー３のプッシャー２４０により弾性変形されて第１プランジャーガード２３５および第２プランジャーガード２３６の支持を解除する。これについての具体的な内容は後述する。
【００５８】
図６は、本発明の一実施例に係るハンドルアセンブリー３を図示した斜視図である。
【００５９】
図６に図示された通り、本発明の一実施例に係るハンドルアセンブリー３はグリップ部１００とコネクティング部２００を含む。
【００６０】
グリップ部１００はカミソリ１の使用中にユーザーの手で把持する部分であり、コネクティング部２００は前述したカートリッジ２と結合される部分である。
【００６１】
グリップ部１００の一端には、コネクティング部２００を支持するハウジング１１０が備えられる。図６に図示された通り、コネクティング部２００は、イジェクトボタン２１０、第１プランジャーガード２３５、第２プランジャーガード２３６およびプランジャー２６０の前端がハウジング１１０の外部に露出するようにハウジング１１０内に収容される。
【００６２】
イジェクトボタン２１０はカートリッジ２をグリップ部１００から分離するためのスイッチ機能をし、第１プランジャーガード２３５、第２プランジャーガード２３６およびプランジャー２６０はカートリッジ２をハンドルアセンブリー３に結合／支持する機能をする。
【００６３】
以下では、本発明の一実施例に係るハンドルアセンブリー３のコネクティング部２００についてより具体的に説明する。
【００６４】
図７は、本発明の一実施例に係るハンドルアセンブリー３の分解斜視図である。
【００６５】
図７に図示された通り、グリップ部１００の端部に形成されるハウジング１１０は、コネクティング部２００の上部ケース２３０および下部ケース２７０等が、一端から挿入設置され得る開放型の設置空間１３０を含む。そして、ハウジング１１０の上部面には、イジェクトボタン支持ブロック２２０が結合されるブロック設置用貫通ホール１２０が形成される。
【００６６】
一方、コネクティング部２００は、イジェクトボタン２１０、イジェクトボタン支持ブロック２２０、上部ケース２３０、プッシャー２４０、弾性部材２５１、プランジャー２６０、下部ケース２７０を含む。
【００６７】
図７に図示された通り、イジェクトボタン２１０は、ベースプレート２１１、突出段２１２、第１フック段２１３を含む。
【００６８】
イジェクトボタン２１０はユーザーがハンドルアセンブリー３からカートリッジ２を分離しようとする時に使用するボタンであって、ユーザーはベースプレート２１１を加圧したままイジェクトボタン２１０をカートリッジ２に向かって押してカートリッジ２を分離させることができる。イジェクトボタン２１０を利用したカートリッジ２の分離構造および動作についての具体的な内容は後述する。
【００６９】
一般的に，ユーザーが親指を利用してベースプレート２１１を加圧したままイジェクトボタン２１０を使用するので、ベースプレート２１１は略親指の最初の関節までの面積に対応する円形の形状を有し得る。ただし、デザイン、使用便宜性などによりベースプレート２１１の形状は多様に変形され得る。
【００７０】
突出段２１２は、ベースプレート２１１の上面の先端から突出形成される。突出段２１２は、ベースプレート２１１を加圧したままイジェクトボタン２１０を移動させるユーザーの指の終端を支持してユーザーがより容易にイジェクトボタン２１０を移動させることができるようにする。
【００７１】
第１フック段２１３はベースプレート２１１の下面から突出形成される。第１フック段２１３は、後述するプッシャー２４０の第１フック段結合ホール２４３ａに挿入されてイジェクトボタン２１０をプッシャー２４０に固定させる。イジェクトボタン２１０は、イジェクトボタン支持ブロック２２０、ハウジング１１０の上部面および上部ケース２３０を挟んでプッシャー２４０とフック段結合される。
【００７２】
イジェクトボタン支持ブロック２２０は、ブロックボディー２２１および第２フック段２２３を含む。
【００７３】
イジェクトボタン２１０のベースプレート２１１は、ブロックボディー２２１の上部面上に装着される。図７に図示された通り、ブロックボディー２２１にはイジェクトボタン２１０の第１フック段２１３が通過するスロット２２２が貫通形成される。スロット２２２は、第１フック段２１３がスロット２２２に沿って移動可能であるように、一方向に一定の長さだけ延長形成され、イジェクトボタン２１０の移動距離および方向をガイドする。
【００７４】
一方、第２フック段２２３はブロックボディー２２１から下方に突出形成される。第２フック段２２３は、上部ケース２３０の第２フック段結合ホール２３２に挿入されてイジェクトボタン支持ブロック２２０を上部ケース２３０に固定する。したがって、イジェクトボタン２１０が前後方に移動する時にイジェクトボタン支持ブロック２２０は固定された状態を維持する。
【００７５】
図７に図示された通り、上部ケース２３０は、上部ケースボディー２３１および第３フック段２３４を含む。
【００７６】
上部ケースボディー２３１には、イジェクトボタン支持ブロック２２０の第２フック段２２３が挿入される第２フック段結合ホール２３２が形成される。そして、第２フック段結合ホール２３２には第２フック段結合ホール２３２の中心を通過するクロスバー２３３が形成される。
【００７７】
クロスバー２３３は、イジェクトボタン支持ブロック２２０が第２フック段結合ホール２３２を通過せずに上部ケースボディー２３１の上部面上に位置するように、ブロックボディー２２１の下端の一部を支持する。したがって、イジェクトボタン支持ブロック２２０は支持バー２３３により支持されたまま、第２フック段２２３により上部ケース２３０に固定され得る。
【００７８】
第３フック段２３４は、上部ケースボディー２３１の外郭から下方に突出形成される。第３フック段２３４は下部ケース２７０の外郭と結合されて上部ケース２３０と下部ケース２７０を結合する。
【００７９】
上部ケース２３０と下部ケース２７０は、結合された状態で内部に、後述するプッシャー２４０、弾性部材２５１およびプランジャー２６０が設置され得る空間を形成する。
【００８０】
図７に図示された通り、上部ケースボディー２３１の前端には、第１プランジャーガード２３５、第２プランジャーガード２３６およびガードベース２３７が備えられる。
【００８１】
ガードベース２３７は上部ケースボディー２３１の前端から前方に延長形成される。そして、第１プランジャーガード２３５は、ガードベース２３７の前端の一側から前方に向かって延長形成される。そして、第２プランジャーガード２３６は第１プランジャーガード２３５と一定の距離離隔するように、ガードベース２３７の前端の他側から前方に向かって延長形成される。
【００８２】
第１プランジャーガード２３５と第２プランジャーガード２３６の間の空間には、後述するプランジャー２６０の前端２６２が位置する。
【００８３】
一方、プッシャー２４０は上部ケース２３０と下部ケース２７０との間で前後方にスライディング可能に設置される。図７に図示された通り、プッシャー２４０は、プッシュアーム２４１ａ、２４１ｂ、支持壁２４２、第１フック段支持プレート２４３および第１フック段結合ホール２４３ａを含む。
【００８４】
プッシュアーム２４１ａ、２４１ｂは、支持壁２４２から前方（カートリッジ２の方向）に向かって延長形成される。そして、第１フック段支持プレート２４３は、支持壁２４２から後方（グリップ部１００の方向）に向かって延長形成される。そして、第１フック段結合ホール２４３ａは、第１フック段支持プレート２４３を上下に貫くように形成される。
【００８５】
前述した通り、イジェクトボタン２１０の第１フック段２１３は、第１フック段結合ホール２４３ａに挿入されて第１フック段支持プレート２４３に結合される。したがって、プッシャー２４０はイジェクトボタン２１０と同期駆動するようになる。すなわち、イジェクトボタン２１０が前後方に移動するにつれて、プッシャー２４０はイジェクトボタン２１０と一体に移動するようになる。
【００８６】
支持壁２４２には弾性部材２５１の後端が固定設置される第１結合突起２４４が形成される。
【００８７】
図７に図示された通り、プッシュアーム２４１ａ、２４１ｂは、互いに離隔して並んで備えられる一対のアーム２４１ａ、２４１ｂを含むことができる。一対のアーム２４１ａ、２４１ｂの間の空間には、後述する弾性部材２５１およびプランジャー２６０のガイド突起２６３が位置する。一対のアーム２４１ａ、２４１ｂは、プランジャー２６０のガイド突起２６３を両側に位置してプランジャー２６０の移動方向および距離をガイドすることができる。
【００８８】
一対のアーム２４１ａ、２４１ｂの前端側には、一対のアーム２４１ａ、２４１ｂの間の空間を遮るプランジャーストッパー２４５が備えられる。プランジャーストッパー２４５はガイド突起２６３が前方にそれ以上移動しないように阻止することによって、プランジャー２６０が上部ケース２３０および下部ケース２７０から離脱することを防止するとともにプランジャー２６０の前方移動の限界地点を決定する。
【００８９】
プランジャーストッパー２４５の両側には、ガイドレーン２４６ａ、２４６ｂが形成され得る。ガイドレーン２４６ａ、２４６ｂはプッシャー２４０の移動方向を案内する構成であって、第１プランジャーガード２３５および第２プランジャーガード２３６にはガイドレーン２４６ａ、２４６ｂに挿入されるガイド突起（図示されず）が形成され得る。
【００９０】
一方、プランジャー２６０は、プランジャーボディー２６１およびガイド突起２６３を含む。
【００９１】
図７に図示された通り、プランジャーボディー２６１は、略前後方向に長いバー（ｂａｒ）の形状であり得る。プランジャーボディー２６１の前端２６２は、第１プランジャーガード２３５および第２プランジャーガード２３６の前端と類似する曲率で形成され得る。
【００９２】
ガイド突起２６３はプランジャーボディー２６１の下部面から下方に一定の長さ突出するように形成される。前述した通り、ガイド突起２６３は、一対のプッシュアーム２４１ａ、２４１ｂの間でスライディング可能に配置される。ガイド突起２６３の後面には、弾性部材２５１の前端が固定設置される第２結合突起２６４が形成される（図９参照）。
【００９３】
したがって、プランジャー２６０とプッシャー２４０は弾性部材２５１により互いに弾性支持される。
【００９４】
プランジャー２６０のプランジャーボディー２６１の前端２６２は第１プランジャーガード２３５と第２プランジャーガード２３６との間で移動し、外力によってガードベース２３７側に後退し、外力が除去されると弾性部材２５１の弾性力によって再び第１プランジャーガード２３５および第２プランジャーガード２３６の前端に復帰する。
【００９５】
すなわち、プランジャー２６０はプランジャーボディー２６１の前端２６２が第１プランジャーガード２３５と第２プランジャーガード２３６の前端と略一致するように位置する第１ポジション（図６および図９参照）と、プランジャーボディー２６１の前端２６２が第１プランジャーガード２３５と第２プランジャーガード２３６の前端の後方に位置する第２ポジション（図１１参照）との間でスライディングされる。
【００９６】
外力がない状態でプランジャー２６０は第１ポジションをホーム位置として有するようになり、外力が加えられる場合には第１ポジションから第２ポジションに移動することができ、第２ポジションで外力が除去される時には弾性部材２５１の弾性力によって第１ポジションに自動的に復帰するようになる。第１ポジションの位置はガイド突起２６３がプランジャーストッパー２４５により前方移動が阻止されて決定され得る。
【００９７】
そして、プッシャー２４０も弾性部材２５１により弾性支持されて外力によるイジェクトボタン２１０の操作により前方に移動し、外力が除去されると弾性部材２５１の弾性力によって再び後退するようになる。
【００９８】
前述した構成によって、本発明の一実施例に係るハンドルアセンブリー３は、図６に図示された通り、プランジャー２６０が第１プランジャーガード２３５および第２プランジャーガード２３６により保護される。したがって、外部の衝撃などからプランジャー２６０が効果的に保護され得る。
【００９９】
図８は本発明の一実施例に係るカミソリ１を図示した平面図であり、図９は図８のＢＢ線に沿った断面図であり、図１０は図８のＣＣ線に沿った断面図である。
【０１００】
図９に図示された通り、プランジャー２６０の前端２６２は、プランジャー加圧突起２４の下面２４ｂと接するようになる。プランジャー２６０は弾性部材２５１の弾性力によって第１ポジションに位置することができる。
【０１０１】
すなわち、図９に図示された通り、プランジャー２６０のガイド突起２６３は弾性部材２５１により弾性支持されてプランジャーストッパー２４５と接した状態に維持される。
【０１０２】
そして、図１０に図示された通り、プッシャー２４０は弾性部材２５１により弾性支持されて下部ケース２７０の内側と接した状態に維持され得る。
【０１０３】
図１０に図示された通り、イジェクトボタン２１０の第１フック段２１３は、プッシャー２４０の第１フック段結合ホール２４３ａに挿入されて第１フック段支持プレート２４３に結合される。
【０１０４】
図９および図１０に図示された状態は、カートリッジ２がハンドルアセンブリー３に結合された後、カミソリ１に外力が加えられていない状態を図示したものであって、プッシャー２４０、イジェクトボタン２１０、プランジャー２６０等の位置はホーム位置となり得る。
【０１０５】
一方、図１０に図示された通り、第１プランジャーガード２３５の下部にはラッチ２５ｃが収容される係止段２３５ａが形成される。図示はしていないが、第２プランジャーガード２３６も第１プランジャーガード２３５と同様に下部にラッチ２５ｃが収容される係止段が形成され得る。
【０１０６】
カートリッジ２をハンドルアセンブリー３に締結する過程において、第１プランジャーガード２３５および第２プランジャーガード２３６が収容ホール２５ｂ内に進入する途中で、ラッチ２５ｃは第１プランジャーガード２３５および第２プランジャーガード２３６の前端の下部に沿って下方に押されて弾性変形された後、係止段２３５ａを通過すると共に端部が上方に持ち上げられて係止段２３５ａと噛み合うようになる。その結果、カートリッジ２がハンドルアセンブリー３に離脱しないように締結される。
【０１０７】
また、図９および図１０に図示された通り、ラッチ２５ｃはコネクターボディー２５ａからフレーム２１に向かって上向き傾斜を形成しながら突出形成される。したがって、ラッチ２５ｃが係止段２３５ａと噛み合った後には、カートリッジ２またはハンドルアセンブリー３にカートリッジ２とハンドルアセンブリー３が互いに分離する方向に外力が加えられても、ラッチ２５ｃが係止段２３５ａから容易に離脱せず、かえって係止段２３５ａがラッチ２５ｃを持ち上げてラッチ２５ｃが係止段２３５ａから離脱するのを防止するようになる。
【０１０８】
図１１は、カートリッジ２の回動によるプランジャー加圧突起２４とプランジャー２６０の相互間の動作関係を図示した図面である。
【０１０９】
本実施例に係るカートリッジ２は、コネクター２５がフレーム２１に対して回動可能に設置される。したがって、図１１に図示された通り、ユーザーがハンドルアセンブリー３にカートリッジ２が結合されたカミソリ１を使用する過程において、外力によってフレーム２１はハンドルアセンブリー３に対して回動しながら使用され得る。
【０１１０】
フレーム２１がハンドルアセンブリー３に対して一方向に回動するにつれて、フレーム２１に固定されたプランジャー加圧突起２４もフレーム２１と一体に回動する。
【０１１１】
そして、プランジャー加圧突起２４が回動するにつれて、プランジャー２６０はプランジャー加圧突起２４の下面２４ｂに沿ってスライディングされながら第２ポジションまで後退するようになる。プランジャー２６０は弾性部材２５１により弾性支持されるため、プランジャー加圧突起２４が回動するとプランジャー２６０の前端２６２はプランジャー加圧突起２４の下面２４ｂとの接触を持続的に維持することができる。
【０１１２】
以後、カートリッジ２を回動させた外力が除去されると、プランジャー２６０は弾性部材２５１の弾性力によって再び前方に移動して第１ポジションに復帰する。プランジャー２６０が第１ポジションに復帰するにつれて、プランジャー加圧突起２４およびフレーム２１は他方向に回動してホーム位置（図９の状態）に復帰する。すなわち、弾性部材２５１の弾性力はプランジャー２６０を第１ポジションに復帰させると共にフレーム２１をホーム位置に復帰させる復帰力（第１復帰力）として使用される。
【０１１３】
プランジャー２６０と接触状態を維持するプランジャー加圧突起２４の下面２４ｂは、外側に膨らんだ曲面を形成するので、カートリッジ２はより滑らかに回転することができる。カートリッジ２の回転半径および回転モーションによりプランジャー加圧突起２４の下面２４ｂの曲率は多様に選択され得る。
【０１１４】
本実施例に係るカミソリ１は、カートリッジ２のフレーム２１を回動可能に弾性支持するので、ユーザーの身体の輪郭に沿ってブレード２２が身体に密着した状態で体毛を切削することができる。従って容易で、かつ安全な髭そりが可能である。
【０１１５】
また、外力が除去された状態ではカートリッジ２のフレーム２１が自由に動かずに一定のホーム位置を維持するので、より安全にカミソリ１を使用することができる。
【０１１６】
図１２は、カートリッジ２の分離のためのイジェクトボタン２１０、プッシャー２４０およびラッチ２５ｃの相互間の動作関係を図示した図面である。
【０１１７】
図１２に図示された通り、カートリッジ２をハンドルアセンブリー３から分離しようとする場合には、イジェクトボタン２１０を前方（カートリッジ方向）に一定の距離移動させることによって、カートリッジ２をハンドルアセンブリー３から分離することができる。
【０１１８】
具体的には、ユーザーがイジェクトボタン２１０を前方に一定の距離移動させるにつれて、プッシャー２４０はイジェクトボタン２１０と一体に前方に移動するようになる。
【０１１９】
プッシャー２４０が前方に移動するにつれて、プッシュアーム２４１ａ、２４１ｂは前方に移動してラッチ２５ｃを弾性変形させて係止段２３５ａから離脱させる。
【０１２０】
ラッチ２５ｃが係止段２３５ａから離脱するにつれて、第１プランジャーガード２３５および第２プランジャーガード２３６はカートリッジ２から離脱可能な状態となってカートリッジ２をハンドルアセンブリー３から分離することができる。
【０１２１】
以後、イジェクトボタン２１０を前方に移動させた外力が除去されると、プッシャー２４０は弾性部材２５１の弾性力によって再び後方に移動してイジェクトボタン２１０をホーム位置（図１０の状態）に移動させる。すなわち、弾性部材２５１の弾性力はプッシャー２４０およびイジェクトボタン２１０をホーム位置に復帰させる復帰力（第２復帰力）として使用される。
【０１２２】
以下では、本発明の他の実施例に係るハンドルアセンブリー４について説明する。説明の便宜のために、前述した実施例と類似する部分は同じ図面番号を付し、前述した実施例と共通する部分はその説明を省略する。
【０１２３】
図１３は本発明の他の実施例に係るハンドルアセンブリー４を図示した平面図であり、図１４は本発明の他の実施例に係るハンドルアセンブリー４の分解斜視図である。
【０１２４】
図１３および図１４に図示された通り、本実施例に係るハンドルアセンブリー４は前述した実施例とは異なり、上部ケース３３０でガードベース２３７が省略され、第１プランジャーガード３３５と第２プランジャーガード３３６が上部ケースボディー２３１の前端から延長形成される。
【０１２５】
また、本実施例に係る第１プランジャーガード３３５と第２プランジャーガード３３６は、前方に向かって次第に幅が細くなるテーパー状を有する。このような形状を通じて第１プランジャーガード３３５と第２プランジャーガード３３６をカートリッジ２の収容ホール２５ｂにより容易に進入させることができ、カートリッジ２をハンドルアセンブリー３に、より容易に組み立てることができる。
【０１２６】
一方、プランジャー３６０のプランジャーボディー３６１の前端および上面は、第１プランジャーガード３３５および第２プランジャーガード３３６の前端および上面と類似する曲率、傾斜角を有するように形成され得る。
【０１２７】
したがって、プランジャー３６０が第１ポジションに位置する時に、図１３に図示された通り、第１プランジャーガード３３５、プランジャー３６０および第２プランジャーガード３３６が一つのボディーのように見える外観を有することができる。
【０１２８】
本発明が属する技術分野の通常の知識を有する者は、本発明がその技術的思想や必須の特徴を変更することなく他の具体的な形態で実施され得ることが理解できるはずである。したがって、以上で記述した実施例はすべての面で例示的なものであり、限定的ではないものと理解されるべきである。本発明の範囲は、前記詳細な説明よりは後述する特許請求の範囲によって示され、特許請求の範囲の意味および範囲、そしてその均等概念から導き出されるすべての変更または変形された形態は本発明の範囲に含まれると解釈されるべきである。
【０１２９】
本発明の実施例に係るカミソリは、ユーザーによって把持されるグリップ部；および前記グリップ部の前端から突出形成される第１プランジャーガード、前記第１プランジャーガードと離隔するように前記グリップ部の前端から突出形成される第２プランジャーガードおよび前記第１プランジャーガードと前記第２プランジャーガードとの間にスライディング可能に結合されるプランジャーを含むコネクティング部；を含むハンドルアセンブリーおよび少なくとも一つのブレード；前記ブレードが前面に露出するように前記ブレードを支持するフレーム；前記フレームに対して回動可能に設置され、前記第１プランジャーガード、前記第２プランジャーガードおよび前記プランジャーを収容する収容ホールが形成されたコネクター；および前記フレームから後面に向かって突出形成されて前記プランジャーによって弾性支持されるプランジャー加圧突起；を含むカートリッジを含む。
【０１３０】
本発明の実施例に係るカートリッジは、少なくとも一つのブレード；前記ブレードが前面に露出するように前記ブレードを支持するフレーム；前記フレームから後面に向かって突出形成され、外側に膨らんで形成されて前記ハンドルアセンブリーのプランジャーと接する下面を含むプランジャー加圧突起；および前記フレームに対して回動可能に設置されて前記ハンドルアセンブリーと着脱可能に結合されるコネクターを含む。
【０１３１】
本発明の実施例に係るカミソリは、ユーザーによって把持されるグリップ部；および前記グリップ部の前端から突出形成される第１プランジャーガード、前記第１プランジャーガードと離隔するように前記グリップ部の前端から突出形成される第２プランジャーガードおよび前記第１プランジャーガードと前記第２プランジャーガードとの間にスライディング可能に結合されるプランジャーを含むコネクティング部；を含むハンドルアセンブリーおよび少なくとも一つのブレード；前記ブレードが前面に露出するように前記ブレードを支持するフレーム；前記フレームに対して回動可能に設置され、前記第１プランジャーガード、前記第２プランジャーガードおよび前記プランジャーを収容する収容ホールが形成されたコネクター；および前記フレームから後面に向かって突出形成されて前記プランジャーによって弾性支持されるプランジャー加圧突起；を含むカートリッジを含む。
【図１】
0006588162.tif 000002
【図２】
0006588162.tif 000003
【図３】
0006588162.tif 000004
【図４】
0006588162.tif 000005
【図５】
0006588162.tif 000006
【図６】
0006588162.tif 000007
【図７】
0006588162.tif 000008
【図８】
0006588162.tif 000009
【図９】
0006588162.tif 000010
【図１０】
0006588162.tif 000011
【図１１】
0006588162.tif 000012
【図１２】
0006588162.tif 000013
【図１３】
0006588162.tif 000014
【図１４】
0006588162.tif 000015